(57)【要約】【課題】  ユーザが忘却し難く、第三者に知得され難い、暗証番号に代わる情報を用いてセキュリティロックを解除可能とする。【解決手段】  制御部１４は、非接触ＩＣ部１２の使用履歴や決済履歴、及び発信履歴や着信履歴を「使用履歴」としてメモリ１３に記憶しておく。セキュリティロックが掛かっている機能の使用が指定されると、制御部１４は、メモリ１３に記憶されている「使用履歴」に基づいて、例えば「最も最近に着信のあった相手の名前は？」等の質問メッセージを作成して表示部５に表示制御する。そして、ユーザにより、この質問メッセージに対応する正答が得られた場合にセキュリティロックを解除する。「使用履歴」は、ユーザ自信の機能の使用に基づいて作成されたものであり、ユーザが憶えている可能性が高いため、暗証番号を忘却したために所定の機能のセキュリティロックが解除できないという不都合を大幅に軽減することができる。【選択図】  図１
2006129267.tif 000002
【特許請求の範囲】
【請求項１】
所定の機能の一部或いは全部を使用不可とするロックを掛けるロック手段と、
使用された機能の使用履歴情報を記憶する使用履歴記憶手段と、
上記ロック手段によりロックされている一部或いは全部の機能を解除する際に、上記使用履歴記憶手段に記憶されている使用履歴情報に基づいて、該使用履歴を問う選択形式或いは質問形式の質問メッセージを表示手段に表示する質問メッセージ表示手段と、
上記質問メッセージに応答することで、操作手段を介してユーザにより入力された該ユーザの回答と、上記質問メッセージの解答とを比較する比較手段と、
上記比較手段により、上記ユーザの回答と上記質問メッセージの解答とが一致したことを示す比較結果が得られた際に、上記所定の機能の一部或いは全部に対して掛けられているロックを解除するように、上記ロック手段を制御する制御手段と
を有する携帯端末装置。
【請求項２】
請求項１に記載の携帯端末装置であって、
外部のリーダライタ装置との間で非接触近距離無線通信を行うことで、電子マネー決済を行う非接触近距離無線通信手段を有し、
上記ロック手段は、上記非接触近距離無線通信手段の機能の一部或いは全部を使用不可とするロックを掛け、
上記使用履歴記憶手段は、上記非接触近距離無線通信手段により電子マネー決済が行われた際に、この電子マネー決済情報を上記使用履歴情報として記憶し、
上記質問メッセージ表示手段は、上記使用履歴記憶手段に上記使用履歴として記憶されている上記電子マネー決済情報に基づいて、上記非接触近距離無線通信手段の使用履歴を問う選択形式或いは質問形式の質問メッセージを表示手段に表示し、
上記制御手段は、上記比較手段により、上記ユーザの回答と上記質問メッセージの解答とが一致したことを示す比較結果が得られた際に、上記非接触近距離無線通信手段の一部或いは全部の機能に対して掛けられているロックを解除するように、上記ロック手段を制御すること
を特徴とする携帯端末装置。
【請求項３】
請求項１又は請求項２に記載の携帯端末装置であって、
基地局との間で無線通信を行う無線通信機能を有し、
上記使用履歴記憶手段は、上記無線通信機能に基づいて発信が行われた際に、この発信情報を上記使用履歴情報として記憶すること
を特徴とする携帯端末装置。
【請求項４】
請求項３に記載の携帯端末装置であって、
上記使用履歴記憶手段は、上記無線通信機能に基づく着信のうち、ユーザが応答した着信の着信履歴を上記使用履歴情報として記憶すること
を特徴とする携帯端末装置。
【発明の詳細な説明】
【技術分野】
【０００１】
本発明は、例えば携帯電話機，ＰＨＳ電話機（PHS：Personal Handyphone System），ＰＤＡ装置（PDA：Personal Digital Assistant）、ノート型のパーソナルコンピュータ装置等に適用して好適な携帯端末装置に関し、特に、当該携帯端末装置に設けられている機能の使用履歴の情報を用いてセキュリティロックを解除することで、暗証番号を用いることなく上記セキュリティロックの解除を可能とした携帯端末装置に関する。
【背景技術】
【０００２】
特開２００３−１６３９８号の公開特許公報（特許文献１）において、携帯端末機を紛失・盗難した際に、Ｒ／Ｗ機能を有する非接触型ＩＣカード機能が他人に不正使用される不都合を防止する携帯端末機が開示されている。
【０００３】
この携帯端末機の場合、ユーザが、非接触型ＩＣカード部が設けられた携帯端末機に予めカード対応またはサービス対応に暗証番号を登録しておき、ＩＣカード機能の利用に先立って暗証番号を入力する。ＩＣカード機能は、通常、使用不能状態に制御されているが、ユーザにより入力された入力暗証番号と、ユーザにより予め登録された登録暗証番号とが一致したときのみ、所定時間、使用可能状態に制御される。これにより、携帯端末機の紛失時や盗難時に、非接触型ＩＣカード機能が他人に不正使用される不都合を防止することができる。
【０００４】
【特許文献１】特開２００３−１６３９８号公報（第４頁〜第６頁：図２）
【発明の開示】
【発明が解決しようとする課題】
【０００５】
しかし、前述の特許文献１に開示されている携帯端末機の場合、暗証番号を入力する以外に、使用不能状態とされているＩＣカード機能を使用可能状態とすることができない（＝セキュリティロックは、暗証番号を入力する以外に解除する方法が無い。）。このため、ユーザが暗証番号を忘却した場合には、セキュリティロックを解除することができなくなる問題があった。
【０００６】
本発明は、上述の課題に鑑みてなされたものであり、ユーザが忘却し難く、また、第三者に推測され難い、暗証番号に代わる情報を用いて、ＩＣカード機能等のセキュリティロックを解除可能とした携帯端末装置の提供を目的とする。
【課題を解決するための手段】
【０００７】
本発明に係る携帯端末装置は、上述の課題を解決するための手段として、
所定の機能の一部或いは全部を使用不可とするロックを掛けるロック手段と、
使用された機能の使用履歴情報を記憶する使用履歴記憶手段と、
上記ロック手段によりロックされている一部或いは全部の機能を解除する際に、上記使用履歴記憶手段に記憶されている使用履歴情報に基づいて、該使用履歴を問う選択形式或いは質問形式の質問メッセージを表示手段に表示する質問メッセージ表示手段と、
上記質問メッセージに応答することで、操作手段を介してユーザにより入力された該ユーザの回答と、上記質問メッセージの解答とを比較する比較手段と、
上記比較手段により、上記ユーザの回答と上記質問メッセージの解答とが一致したことを示す比較結果が得られた際に、上記所定の機能の一部或いは全部に対して掛けられているロックを解除するように、上記ロック手段を制御する制御手段と
を有する。
【０００８】
人間の記憶は、時間の経過と共に徐々に薄れるものである。このため、人間が暗証番号を記憶しても、この暗証番号を使用する機会の無いまま、例えば２ヶ月、３ヶ月等の長い時間が経過すると、記憶していた暗証番号を忘却する不都合を生ずる。このため、本発明に係る携帯端末装置は、ユーザが忘却し難く、また、第三者に推測され難い情報として、当該携帯端末装置の機能が使用されることで記憶される使用履歴情報を、暗証番号の代わりに用いている。
【０００９】
一例ではあるが、この使用履歴情報としては、例えば、
１．着信履歴情報、
２．発信履歴情報、
３．電子決済機能が設けられている場合には、この決済情報、
４．スケジュール機能が設けられている場合には、このスケジュール情報、
５．電話帳に記憶されている電話番号情報やメールアドレス情報、
６．ＷｅｂサイトのＵＲＬ情報
等を用いることができる。
【００１０】
上記使用履歴記憶手段に使用履歴として記憶される使用履歴情報は、ユーザ自信がその機能を使用した、数分前、数時間前、或いは数日前等のように、比較的新しい情報である。また、ユーザ自信がその機能を使用しているため、ユーザが憶えている可能性も高いうえ、第三者が知得するのは困難な情報でもある。
【００１１】
このため本発明に係る携帯端末装置は、質問メッセージ表示手段が、いわばクイズ形成で使用履歴を問う質問メッセージを表示手段に表示し、このメッセージの解答が得られた場合に、制御手段が、上記ロック手段により上記所定の機能に掛けられているロックを解除するように、該ロック手段を制御する。
【００１２】
これにより、ユーザが忘却し難く、また、第三者に推測され難い上記使用履歴情報を用いて所定の機能のロックを解除可能とすることができる。
【発明の効果】
【００１３】
本発明に係る携帯端末装置は、ロック手段によりロックされている一部或いは全部の機能を解除する際に、質問メッセージ表示手段が、使用履歴記憶手段に記憶されている使用履歴情報に基づいて質問メッセージを作成し、これを表示手段に表示する。そして、比較手段が、上記質問メッセージに応答することで、操作手段を介してユーザにより入力された該ユーザの回答と、上記質問メッセージの解答とを比較し、上記ユーザの回答と上記質問メッセージの解答とが一致したことを示す比較結果が得られた際に、制御手段が、上記所定の機能の一部或いは全部に対して掛けられているロックを解除するように、上記ロック手段を制御する。
【００１４】
これにより、暗証番号に代わる情報として「使用履歴情報」という、ユーザが忘却し難く、また、第三者に推測され難い上記使用履歴情報を用いて所定の機能のロックを解除可能とすることができる。このため、暗証番号を忘却したために所定の機能のロックが解除できないという不都合を大幅に軽減することができる。
【発明を実施するための最良の形態】
【００１５】
本発明は、携帯電話機に適用することができる。
【００１６】
［携帯電話機の構成］
本発明の実施の形態となる携帯電話機は、図１に示すように携帯事業者のコミュニケーションネットワークに接続された基地局との間でデータの送受信を行うアンテナ１及び通信回路２と、受話音声，動画ファイルの音声，音楽データの音声等の音声出力を得るためのスピーカ部３と、送話音声を集音するマイクロホン部４と、発着信電話番号、送信元，送信先となるユーザの名前、電話や携帯メールの発着信履歴、電話帳，アドレス帳、スケジュール帳の他、送受信した携帯メールの文章等を表示する表示部５と、入力操作を行うための複数のキーが設けられた操作部６と、電話や携帯メールの発着信等を光でユーザに知らせるための発光部７（ＬＥＤ）とを有している。
【００１７】
また、この携帯電話機は、所望の被写体の静止画及び動画を撮像するためのカメラ部８と、電話や携帯メールの発着信等を当該携帯電話機を振動させてユーザに知らせるためのバイブレーションユニット９と、当該携帯電話機に対して着脱自在な外部メモリ１１と電気的接続を図るための外部メモリインターフェイス１０（外部メモリＩＦ）と、外部のリーダライタ装置との間で非接触近距離無線通信を行うことで、電子財布機能や定期券機能等を実現する非接触ＩＣ部１２とを有している。
【００１８】
また、この携帯電話機は、通信処理プログラム（コミュニケーションプログラム）や、上記非接触ＩＣ部１２の動作を制御する非接触ＩＣ管理プログラム等のアプリケーションプログラムの他、上記非接触ＩＣ部１２が電子財布として使用された際の使用履歴（非接触ＩＣ使用履歴）や、非接触ＩＣ部１２が電子財布として使用された際の決済情報、及び電話や携帯メールの発信履歴や着信履歴等が記憶されるメモリ１３と、当該携帯電話機全体の動作を制御する制御部１４とを有している。
【００１９】
非接触ＩＣ部１２は、上記リーダライタ装置との間でデータの送受信を行うアンテナ１５と、電子マネー情報や電子マネーの使用履歴、決済情報、定期券情報の他、ユーザ識別情報や当該非接触ＩＣ１２に対して固有に付された識別情報等が記憶されたメモリ１６と、携帯電話機の制御部１４との間で通信を行うことで、当該非接触ＩＣ部１２全体の動作を制御する制御部１７とを有している。
【００２０】
非接触ＩＣ部１２が使用されることで作成されるの電子マネーの使用履歴や決済情報は、当該非接触ＩＣ部１２内に設けられているメモリ１６のみに記憶されるのが一般的であるが、非接触ＩＣ部１２に対してセキュリティロックが掛けられていた場合、この電子マネーの使用履歴や決済情報が、該非接触ＩＣ部１２のメモリ１６から読み出すことが困難となる。
【００２１】
このため、当該携帯電話機の場合、電子マネーの使用履歴や決済情報等を、この非接触ＩＣ部１２のメモリ１６に記憶すると共に、当該携帯電話機のメモリ１３にも併せて記憶することで、非接触ＩＣ部１２に対してセキュリティロックが掛けられていた場合でも、該非接触ＩＣ部１２が電子財布として機能することで作成された電子マネーの使用履歴や決済情報を、当該携帯電話機のメモリ１３から読み出し可能としている。
【００２２】
［携帯電話機の動作］
次に、このような構成を有する当該実施の形態の携帯電話機の特徴的な動作を説明する。
【００２３】
〔使用履歴の記憶〕
まず、この携帯電話機の場合、制御部１４は、当該携帯電話機の所定の機能が使用される毎に、その使用履歴情報をメモリ１３に記憶制御する。
【００２４】
具体的には、ユーザにより操作部６を介して発信操作がなされた場合、制御部１４は、その発信先となる相手の電話番号、発信日時、及び電話帳に予め登録がなされている場合は、その相手の名前等を「発信履歴」としてメモリ１３に順次記憶制御する。
【００２５】
同様に、アンテナ１及び通信回路２を介して当該携帯電話機に着信があった場合、制御部１４は、その着信した相手の電話番号、着信日時、及び電話帳に予め登録がなされている場合は、その相手の名前、及び「応答の有無を示す情報」等を「着信履歴」としてメモリ１３に順次記憶制御する。
【００２６】
ここで、制御部１４は、着信履歴を記憶する際、ユーザが応答した着信に対応する着信履歴にはフラグを立てる等して、応答しなかった着信とは差別化してメモリ１３に記憶する。後述するように、当該実施の形態の携帯電話機は、セキュリティロックの解除を行う際に、この着信履歴に基づいて質問メッセージを作成してユーザにその回答を求めるのであるが、ユーザが応答しなかった着信の着信履歴に基づいて作成された質問メッセージに対して、ユーザが正答することは困難となる。このため、着信履歴に基づいて質問メッセージを作成する場合、制御部１４は、ユーザが応答した着信に対応する着信履歴に基づいて質問メッセージを作成するようになっている。
【００２７】
説明を元に戻し、非接触ＩＣ部１２が定期券として使用された場合、制御部１４は、該非接触ＩＣ部１２の制御部１７と通信を行うことで、使用日時、乗車駅名、下車駅名、有効期間等を取り込み、これらを「非接触使用履歴」としてメモリ１３に順次記憶制御する。
【００２８】
同様に、非接触ＩＣ部１２が切符として使用された場合、制御部１４は、該非接触ＩＣ部１２の制御部１７と通信を行うことで、使用日時、乗車駅名、下車駅名、使用運賃、電子マネーの残高等を取り込み、これらを「非接触決済履歴」としてメモリ１３に順次記憶制御する。
【００２９】
同様に、非接触ＩＣ部１２が、購入した商品やサービスの代金の支払いに使用された場合、制御部１４は、該非接触ＩＣ部１２の制御部１７と通信を行うことで、使用日時、購入商品或いはサービス名、購入金額、電子マネーの残高等を取り込み、これらを「非接触決済履歴」としてメモリ１３に順次記憶制御する。
【００３０】
なお、以上のメモリ１３に記憶する各機能の履歴は一例であり、この他、例えばカメラ部８の使用履歴や、メモリ１３に記憶されているスケジュール帳の使用履歴等の他の機能の使用履歴をメモリ１３に記憶制御してもよい。
【００３１】
〔所望の機能のロック及びロック解除動作〕
次に、この携帯電話機は、第三者の不正使用を防止するために、所望の機能に対してセキュリティロックを掛けることができるようになっている（当該携帯電話機全体のセキュリティロックを含む。）。そして、このセキュリティロックは、メモリ１３に記憶されている使用履歴情報に基づいて作成された質問メッセージに正解した場合にロック解除されるようになっている。
【００３２】
（ロック動作）
このようなセキュリティロック及びロック解除動作の流れを図２のフローチャートに示す。このフローチャートは、ユーザが操作部６を操作することでセキュリティロックを掛ける所望の機能を選択し、このセキュリティロックの実行を指定することでスタートとなる。
【００３３】
セキュリティロックの実行が指定されると、制御部１４は、ステップＳ１において、ユーザにより指定された機能に対するセキュリティロックを発動する。具体的には、メモリ１３には、各機能名の一覧と、各機能に対するセキュリティロックの有無を示すフラグの記憶場所を有するセキュリティテーブルが設けられている。このため、制御部１４は、ユーザによりセキュリティロックを掛ける機能が指定されると、メモリ１３に記憶されている上記セキュリテーブルのフラグを参照する。フラグが立っている場合（＝ハイレベル：「１」）は、その機能に対してセキュリティロックが掛かっていることを示し、フラグが降りている場合（＝ローレベル：「０」）は、その機能に対してセキュリティロックが掛かっていないことを示す。
【００３４】
このため、制御部１４は、該ユーザによりセキュリティロックを掛けることが指定された機能に対してフラグが立っていない場合には、上記セキュリテーブルの、その機能に対応するフラグを立てることでセキュリティロックを発動する。制御部１４は、機能の実行が指定された場合、該機能の実行の前に、セキュリティテーブルのフラグの状態を確認し、該フラグが降りている場合のみ（＝セキュリティロックが掛かっていない場合のみ）、その指定された機能を実行制御する。このため、ユーザにより指定された機能に対応するセキュリテーブル上のフラグを立てることで、その機能がロック状態となる（ステップＳ２）。
【００３５】
（ロック解除動作）
次に、制御部１４は、ユーザにより操作部６を介して機能の実行が指定された場合、上記メモリ１３のセキュリティテーブルのフラグの状態を参照することで、該実行が指定された機能に対してフラグが立っているか否かを判別する（＝セキュリティロックが掛かっているか否かを判別する。）。そして、実行が指定された機能に対してフラグが立っていた場合、例えば「この機能にはセキュリティロックが掛かっています。セキュリティロックを解除しますか？」等のセキュリティロックの解除を問うメッセージを表示部５に表示制御する。
【００３６】
ユーザは、上記機能を使用する場合、このメッセージに対応して操作部６を操作することでセキュリティロックの解除要求を行うのであるが、制御部１４は、ステップＳ３において上記操作部６の操作状況に基づいて、このセキュリティロックの解除要求がなされたか否かを判別する。そして、セキュリティロックの解除要求がなされていないものと判別した場合には処理をステップＳ２に戻し、その機能を、セキュリティロックが掛かった状態に引き続き保持する。
【００３７】
これに対して、セキュリティロックの解除要求がなされたものと判別した場合、制御部１４は処理をステップＳ４に進め、このステップＳ４において、使用履歴の入力画面を表示部５に表示制御する。具体的には、制御部１４は、この使用履歴の入力画面として、使用履歴を問う選択形式或いは質問形式の質問メッセージ、及びその解答を作成し、質問メッセージを表示部５に表示制御すると共に、解答を一時メモリに一旦記憶する。
【００３８】
例えば、非接触ＩＣ部１２にセキュリティロックが掛かった状態において、ユーザにより非接触ＩＣ部１２を用いた電子決済が指定された場合、制御部１４は、メモリ１３に記憶されている非接触ＩＣ決済履歴を参照し、
質問）最も最近に電子決済した金額は？
等の質問形式の質問メッセージや、或いは
質問）最も最近に電子決済した金額は？
答え）（１）２５００円、（２）６５４円、（３）８９００円
等の選択形式の質問メッセージを形成し、これを表示部５に表示制御する。
【００３９】
同様に、例えば当該携帯電話機全体の機能にセキュリティロックが掛かった状態において、ユーザにより発信が指定された場合、制御部１４は、メモリ１３に記憶されている発信履歴を参照し、
質問）最も最近に電話を掛けた相手の名前は？
等の質問形式の質問メッセージや、或いは
質問）最も最近に電話を掛けた相手の名前は？
答え）（１）○○○○、（２）××会社、（３）××商店
等の選択形式の質問メッセージを形成し、これを表示部５に表示制御する。
【００４０】
同様に、例えば当該携帯電話機全体の機能にセキュリティロックが掛かった状態において、ユーザにより発信が指定された場合、制御部１４は、メモリ１３に記憶されている着信履歴を参照し、
質問）最も最近に着信のあった相手の名前は？
等の質問形式の質問メッセージや、或いは
質問）最も最近に着信のあった相手の名前は？
答え）（１）○○○○、（２）××××、（３）××ストア
等の選択形式の質問メッセージを形成し、これを表示部５に表示制御する。
【００４１】
ここで、前述のように、制御部１４は、着信履歴を記憶する際、ユーザが応答した着信に対応する着信履歴にはフラグを立てる等して、応答しなかった着信とは差別化してメモリ１３に記憶している。このため、制御部１４は、着信履歴に基づいて質問メッセージを作成する場合、フラグの立っている着信履歴を検出し、このフラグの立っている着信履歴に基づいて質問メッセージを作成する。
【００４２】
ユーザが応答しなかった着信の着信履歴に基づいて作成された質問メッセージに対して、ユーザが正答することは困難となるが、ユーザが応答した着信に対応する着信履歴に基づいて作成された質問メッセージに対して正答することは可能となる。このため、ユーザが応答した着信に対応する着信履歴に基づいて質問メッセージを作成することで、ユーザが正答困難となる、応答しなかった着信の着信履歴に基づく質問メッセージが作成される不都合を防止することができる。
【００４３】
同様に、例えばスケジュール帳の機能にセキュリティロックが掛かった状態において、ユーザによりスケジュールの更新が指定された場合、制御部１４は、メモリ１３に記憶されているスケジュール帳のスケジュール情報を参照し、
質問）○月×日のスケジュールは？
等の質問形式の質問メッセージや、或いは
質問）○月×日のスケジュールは？
答え）（１）映画、（２）食事会、（３）打ち合わせ
等の選択形式の質問メッセージを形成し、これを表示部５に表示制御する。
【００４４】
ユーザは、上記質問形式の質問メッセージが表示された場合、操作部６を介して上記質問メッセージに対応する回答を入力操作する。或いは、ユーザは、上記選択形式の質問メッセージが表示された場合、操作部６を介して上記質問メッセージに対応する回答を選択操作する。制御部１４は、ステップＳ５において、このユーザにより入力され、或いは選択された回答と、上記一時メモリに記憶しておいた、上記質問メッセージの解答とを比較し、ユーザの回答が正解であるか否かを判別する。そして、ユーザの回答が不正解であった場合、処理をステップＳ２に戻し、ユーザにより実行が指定された機能を、セキュリティロックが掛かった状態に引き続き保持する。これにより、セキュリティロックが掛かっている機能が第三者に不正に使用される不都合を防止することができる。
【００４５】
これに対して、ユーザの回答が正解であった場合、制御部１４は処理をステップＳ６に進め、メモリ１３の上記セキュリティテーブルに記憶されているフラグのうち、ユーザにより実行が指定された機能に対応するフラグを降ろし、セキュリティロックを解除して当該図２のフローチャートを終了する。これにより、ユーザにより実行が指定された機能が使用可能となる。
【００４６】
［実施の形態の効果］
以上の説明から明らかなように、この実施の形態の携帯電話機は、セキュリティロックの掛かっている機能を使用する際に、制御部１４が、いわばクイズ形成で使用履歴を問う質問メッセージを表示部５に表示制御し、このメッセージの解答が得られた場合に、上記機能のセキュリティロックを解除する。
【００４７】
人間の記憶は、時間の経過と共に徐々に薄れるものである。このため、人間が暗証番号を記憶しても、この暗証番号を使用する機会の無いまま、例えば２ヶ月、３ヶ月等の長い時間が経過すると、記憶していた暗証番号を忘却する不都合を生ずる。
【００４８】
しかし、メモリ１３に使用履歴として記憶される使用履歴情報は、ユーザ自信がその機能を使用した、数分前、数時間前、或いは数日前等のように、比較的新しい情報である。また、ユーザ自信がその機能を使用しているため、ユーザが憶えている可能性も高いうえ、使用により更新される情報であるため、第三者が知得するのは困難な情報でもある。
【００４９】
このため、暗証番号に代わる情報として「使用履歴情報」を用いることにより、ユーザが忘却し難く、また、第三者に推測され難い上記使用履歴情報を用いて所定の機能のセキュリティロックを解除可能とすることができる。従って、暗証番号を忘却したために所定の機能のセキュリティロックが解除できないという不都合を大幅に軽減することができる。
【００５０】
［変形例］
上述の実施の形態の説明では、本発明を携帯電話機に適用することとしたが、これは、ＰＨＳ電話機（PHS：Personal Handyphone System），ＰＤＡ装置（PDA：Personal Digital Assistant）、ノート型のパーソナルコンピュータ装置等の他の携帯端末装置に適用してもよい。
【００５１】
また、上述の実施の形態の説明では、暗証番号に代わる情報として「使用履歴情報」を用いることとしたが、「暗証番号」と「使用履歴情報」とを併用するようにしてもよい。
【００５２】
また、
１．選択形式の質問メッセージでセキュリティロックを解除する、
２．質問形式の質問メッセージでセキュリティロックを解除する、
３．選択形式の質問メッセージと暗証番号を併用してセキュリティロックを解除する、
４．質問形式の質問メッセージと暗証番号を併用してセキュリティロックを解除する、
の中から、ユーザが求めるセキュリティレベルに応じて、セキュリティロックの解除の仕方を選択設定できるようにしてもよい。
【００５３】
この場合、セキュリティレベルは、上記「１．選択形式の質問メッセージでセキュリティロックを解除する」が一番レベルが低く、上記「４．質問形式の質問メッセージと暗証番号を併用してセキュリティロックを解除する」が一番レベルが高くなる。
【００５４】
最後に、上述の実施の形態は、あくまでも本発明の一例として開示したに過ぎない。このため、本発明は、上述の実施の形態に限定されることはなく、上述の実施の形態以外であっても、本発明に係る技術的思想を逸脱しない範囲であれば、設計等に応じて種々の変更が可能であることは勿論であることを付け加えておく。
【図面の簡単な説明】
【００５５】
【図１】本発明を適用した実施の形態の携帯電話機のブロック図である。
【図２】実施の形態の携帯電話機のセキュリティロックから解除までの動作の流れを示すフローチャートである。
【符号の説明】
【００５６】
１  アンテナ、２  通信回路、３  スピーカ部、４  マイクロホン部、５  表示部、６  操作部、７  発光部（ＬＥＤ）、８  カメラ部、９  バイブレーションユニット、１０  外部メモリインターフェイス、１１  外部メモリ、１２  非接触ＩＣ部、１３  メモリ、１４  制御部、１５  非接触ＩＣ部のアンテナ、１６  非接触ＩＣ部のメモリ、１７  非接触ＩＣ部の制御部
【図１】
2006129267.tif 000003
【図２】
2006129267.tif 000004